(57)【要約】光学ファイバは、１又は複数の波長多重伝送の第１の光信号を第１の方向に伝送する小径コア（４０）と、第２の光信号を第１の方向とは反対の方向に伝送する内側の第１のクラッディング（４２）とを有する。低屈折率の外側の第２のクラッディング（４４）又はバッファが第１のクラッディング内に第２の光信号を閉じ込めるのに用いられる。コアの直径は約１０ミクロンより小とし得る。第１のクラッディング（４２）には、切欠（３０）、プリズム又は他の適宜の手段を設け、これによって第２の光信号を反射して入出力ファイバ（１４）の方向に向きを変える。照準可能な装置上に設けられた多重機能の信号発生装置との組合わせで反射装置（６４’）を用いることができる。レンズ装置（１８）は、送出ビームの照準を規正するとともに反射されたリターンビームを第１の光学ファイバの端部上に収束させるために用い得る。【選択図】図１
2004505293.tif 000002
【特許請求の範囲】
【請求項１】
第１の光信号を第１の方向に伝送するコアと、
前記第１の方向とは反対の第２の方向に第２の光信号を伝送する第１のクラッディングと、
前記第２の光信号を前記第１のクラッディング内に実質的に閉じ込めるための第２のクラッディングと、
前記第２の光信号を第２の光学ファイバに向けるための前記第１のクラッディング内に設けられた手段と、
よりなる光学伝送ファイバ。
【請求項２】
前記コアの屈折率は前記第１のクラッディングの屈折率より大である請求項１に記載の光学伝送ファイバ。
【請求項３】
前記コアの直径は、約１０ミクロンよりも大きくない請求項２に記載の光学伝送ファイバ。
【請求項４】
前記第２のクラッディングは、ポリマー・バッファを含んでなる請求項３に記載の光学伝送ファイバ。
【請求項５】
前記第１のクラッディングの屈折率は前記ポリマー・バッファの屈折率より大である請求項４に記載の光学伝送ファイバ。
【請求項６】
前記手段は、前記第１のクラッディングに形成された切欠よりなる請求項５に記載の光学伝送ファイバ。
【請求項７】
前記切欠は前記コアには延出しない請求項６に記載の光学伝送ファイバ。
【請求項８】
コアと第１のクラッディングとを有する光学伝送ファイバと、
前記コアに第１の方向に沿って伝送信号を送出する信号発生手段と、
前記光学伝送ファイバの前記第１のクラッディングからのリターン信号を受けるためのコアを有する光学入出力ファイバと、
を備え、前記光学入出力ファイバのコアは、前記光学伝送ファイバのコアよりも、より大きい直径を有してなる光学システム。
【請求項９】
前記光学伝送ファイバは、前記第１のクラッディングに前記リターン信号を実質的に閉じ込めるための第２のクラッディングを有してなる請求項８に記載の光学システム。
【請求項１０】
前記第２のクラッディングは、ポリマー・バッファを備えてなる請求項９に記載の光学システム。
【請求項１１】
前記光学伝送ファイバは、前記第１のクラッディングの外方へ前記リターン信号を向けるとともに前記光学入出力ファイバのコアへ該リターン信号を向ける反射面を備え、該反射面は前記第１のクラッディングに設けられてなる請求項１０に記載の光学システム。
【請求項１２】
前記光学入出力ファイバは、前記光学伝送ファイバの側部に連結されてなる請求項８に記載の光学システム。
【請求項１３】
前記リターン信号を検出するために、前記光学入出力ファイバのコアに連結された検出器を更に備えるとともに請求項１２に記載の光学システム。
【請求項１４】
前記光学入出力ファイバのコアに光エネルギを送出する供給源を更に備え、該光エネルギを前記光学伝送ファイバに向けて伝達させてなる請求項１３に記載の光学システム。
【請求項１５】
前記信号発生手段は、異なる波長を有する多重光信号を前記光学伝送ファイバのコアに送出するように配置されてなる請求項８に記載の光学システム。
【請求項１６】
前記伝送信号を前記光学伝送ファイバの端部から離間する方向に伝送するためのレンズ手段を更に備え、該レンズ手段は前記リターン信号を前記光学伝送ファイバの前記端部に収束させるように配置されてなる請求項８に記載の光学システム。
【請求項１７】
前記光学入出力ファイバは、円筒状の端面を有してなる請求項８に記載の光学システム。
【請求項１８】
前記光学入出力ファイバは、前記光学伝送ファイバに平行である請求項８に記載の光学システム。
【請求項１９】
前記光学入出力ファイバの反射端部が、前記光学伝送ファイバに近接しておかれ、前記リターン信号が該光学入出力ファイバに向けて反射されてなる請求項８に記載の光学システム。
【請求項２０】
前記反射端部が、前記光学入出力ファイバからの光を前記光学伝送ファイバに向けて反射するように、該光学入出力ファイバの光学軸に対して任意の角度をなしてなる請求項１９に記載の光学システム。
【請求項２１】
単一モードの伝送ファイバのコアを介して第１の方向に第１の光信号を伝達し、
前記伝送ファイバのクラッディング部を介して、前記第１の方向とは反対の第２の方向に第２の光信号を伝達し、
前記第２の光信号を多重モードの入出力ファイバのコアに向けて反射させる反射面を用い、
てなり、前記入出力ファイバのコアの直径が前記伝送ファイバのコアの直径よりも大である光学システムの作動方法。
【請求項２２】
前記第２の光信号は前記第１の光信号の反射された部分である請求項２１に記載の方法。
【請求項２３】
前記第２の光信号を検出する検出器を用いてなる請求項２１に記載の方法。
【請求項２４】
前記第２の光信号を前記伝送ファイバのクラッディング部に実質的に閉じ込めるポリマー・バッファを用いてなる請求項２１に記載の方法。
【請求項２５】
当該光学システムを照準可能な装置上に設けた状態で当該光学システムを作動させてなる請求項２１に記載の方法。
【発明の詳細な説明】
【０００１】
【発明の属する技術分野】
本発明は、光学ファイバ、光学システム及び装置に関する。本発明は又、多重機能光学ファイバ・システムに関する。
【０００２】
【従来の技術及び発明が解決しようとする課題】
多重機能のレーザーベースシステムが種々の目的で採用されている。例えば、以下の（１）〜（７）の７つまでの種々のレーザーベースの装置を組合わせたシステムが提案されている。すなわち、（１）レーザー領域ファインダ、（２）赤外線照準ライト、（３）赤外線照明器（フラッシュライト）、（４）可視照準ライト、（５）可視銃口ライト（照準整合用マンドレル照準規正レーザー）、（６）戦闘確認システム及び（７）レーザータグシュミレーション訓練用集積関係システム。
【０００３】
従来の多重機能レーザーベースシステムは、概して構成が複雑で、かさ張るものであった。従って、この複雑な構成の改善ならびに製作費及び全重量の減少のために、各構成部分を組合わせるか、あるいは削減することが必要である。特に必要なことは、光学システムにおいて、光学源や他の構成部品の数を削減した多重機能を備えることである。しかし、このようなシステムにおいて構成部品の数を減らすと、一定の機能について十分な光学的能力を維持するのが困難となる。従って、又、当該システムにおいて削減された数の構成部品を用いて光エネルギを効率良く受けるとともに伝送するようにすることが求められる。
【０００４】
【課題を解決するための手段及び発明の効果】
本発明により上述した従来のシステムの問題を大幅に克服することができる。本発明は、コアと少なくとも第１及び第２のクラッディングとを有する光学伝送ファイバを提案する。該コアは、１つ又は複数の光信号を第１の方向に伝送するのに用いられる。内側の第１のクラッディングは第２の光信号を第１の方向とは反対の方向に伝送するのに用いられる。第２のクラッディングは第２の光信号を第１のクラッディングに閉じ込めるのに用いられる。第２の光信号を第２の入出力ファイバに向けるのに、第１のクラッディングに向けて延出した切欠、プリズム又は他の適切な手段ないし装置が用いられる。
【０００５】
本発明においては、コアの屈折率は、第１のクラッディングの屈折率より大とされるとともに第１のクラッディングの屈折率は第２のクラッディングの屈折率より大とされる。
【０００６】
本発明においては又、光学伝送ファイバは、１５５０ナノメートルの波長域における単一モード動作用として構成された二重クラッドの光学ファイバとし得る。この光学伝送ファイバのコアの直径は、好ましくは１０ミクロンより小さい。又、第２のクラッディングは、ポリマー・バッファをなすポリマー（重合体）樹脂材料により形成されたバッファ層とし得る。
【０００７】
本発明は、又、単一モードの光学伝送ファイバの光学システムやファイバのコアに波長の多重送信伝送信号を送出する多機能信号発生システム、更には光学伝送ファイバのクラッディングからのリターン信号を受ける入出力ファイバの新規な構成を提案するものである。本発明においては、入出力ファイバのコアは光学伝送ファイバよりも、より大きい直径を有する。
【０００８】
又、本発明においては、光学伝送ファイバは、リターン信号を第１のクラッディングの外方へ向けるとともに入出力ファイバのコアへと向けるための反射面を有する。この反射面は空気／ガラスの界面領域（インターフェース）の態様で構成し得るが、第１のクラッディングの部分に配置される。該反射面は、好ましくは光学伝送ファイバのコアと交差ないし横切る構成とされない。
【０００９】
更に、本発明においては、リターン信号は、入出力ファイバの先端部で検出される。この出力信号の検出は、他の動作信号と共働して所望のパラメータ、例えば目標物までの距離などを決定し得る。
【００１０】
更に又、本発明においては、第２のレーザー光源が設けられ、これによって光学伝送ファイバに光エネルギを追加的に供給し得る。この追加的光エネルギは、光学伝送ファイバの第１のクレームに連結され、ここでレンズ装置によって照準された送出ビームを増大するのに用いられる。又、所望に応じて該レンズ装置はリターンビームを光学伝送ファイバの送出端に収束させるのに用いられるものと同じものとし得る。
【００１１】
本発明は更に光学システムを作動させる新規な方法をも提案するものである。この好ましい本発明の方法において、波長多重送信信号とし得る第１の光信号は、単一モードの光学伝送ファイバのコアを介して伝達される。この第１の光信号の反射部分で構成し得る第２の光信号は、同時に、光学伝送ファイバのクラッド部を介して第１の方向とは反対方向に伝達される。第２の光信号は多重モードの入出力ファイバの、より大きな直径を有するコアに反射される。更に、この同一の反射面を光学伝送ファイバのクラッディングに光エネルギを追加的に反射させるために用いてもよい。
【００１２】
本発明によれば、光学システムを、ライフル銃や双眼鏡などの手操作型の照準装置上にも設けることができる。そして、送出されるビームの方向ならびにリターンビームの発生部位は、この照準装置がねらう方向によって決定し得る。
【００１３】
本発明の他の利点、特徴は以下、添付図面を参照して説明される発明の実施の形態の具体的構成からも理解されるであろう。
【００１４】
【発明の実施の形態】
図において同様の構成部分には同一の番号が付されている。図１には、本発明の第１の実施形態の光学システム１０が示されている。この光学システム１０は光学伝送ファイバ１２、光学入出力ファイバ１４、信号発生装置１６及びレンズ装置１８を備える。動作中、レーザーの光信号２０が信号発生装置１６によって光学伝送ファイバ１２に送出される。この信号２０は光学伝送ファイバ１２を介して伝達されるとともにレンズ装置１８に入射する送出ビーム２２を形成する。リターンビーム２４はレンズ装置１８により光学伝送ファイバ１２の端部２６上で収束し、これによって、リターン信号２８として光学伝送ファイバ１２に送出される。以下により詳しく説明するように、リターン信号２８は切欠３０（図２）により反射されて入出力ファイバ１４（図３）へと向きを変えて送られる。そして、これが出力信号２８として適宜の光検出器３２へと送出される。切欠３０はプリズムによっても構成し得る。
【００１５】
光学伝送ファイバ１２は小径のコア４０と第１のクラッディング４２及び第２のクラッディング４４を有する。コア４０の直径は、例えば約６ミクロンから約１０ミクロンの範囲のものでよい。図３に示す構成では、コア４０の直径は約８ミクロンである。しかし、本発明は、図示の実施形態中の数値等に限定されるものではない。第１のクラッディング４２の直径はコア４０の直径よりも相当に大に構成され、例えば約８０ミクロンよりも大とされる。図示の具体的構成では、第１のクラッディング４２の直径は約１２５ミクロンである。
【００１６】
コア４０の屈折率は第１のクラッディング４２の屈折率よりも大となっている。コア４０は、より高い屈折率を得るために、例えばポジティブな添加不純物でドーピングされる。光学伝送ファイバ１２の屈折率のプロフィールは、光信号２０がコア４０を通って単一モードで送出されるように構成される。第１のクラッディング４２は光信号２０をコア４０内に実質的に閉じ込めるように動作する。
【００１７】
従って、動作中、光信号２０は信号発生装置１６によってコア４０に送出される。光信号２０の波長は約１５５０ナノメートルである。光信号２０は次いでコア４０を通して図３において左から右へ単一モードで送られるとともに該コア４０からファイバ端部２６へと出力される。光学伝送ファイバ１２において、光信号２０はコア４０内に殆ど閉じ込められているので、該信号２０の強さは切欠３０によって殆ど影響されない。該信号２０がファイバ端部２６を介してコア４０から送出されると、該信号２０は発散した送出ビーム２２を形成する。該ビーム２２はレンズ装置１８によって、照準に合わせて平行とし得る。レンズ装置１８は所望に応じ１つ又は複数の屈折レンズにより構成し得る。
【００１８】
切欠３０（又はプリズム）は、米国特許第５，８５４，８６５（ゴールドベルグ）に開示された態様で任意に構成し得る。このゴールドベルグの米国特許の全開示内容は本発明の説明において参照される。図２及び３において、切欠３０はセンターライン５０を有し、このセンターライン５０から延出した２つの側部５２，５４がある。センターライン５０はコア４０に近接しておかれているが該コアと交差ないし横切る構成とはなっていない。センターライン５０は実際上可能な限りコア４０に近接しておかれる。該センターライン５０は、コア４０を通る光信号２０の伝送に実質的に影響を及ぼすことなく、入出力ファイバ１４に反射して向けられたリターン信号２８の光量を最大とするように位置付けられるべきである。
【００１９】
切欠３０の前方側部５４は、光学伝送ファイバ１２の光学軸に対して約４５度をなす一定の角度αを形成する。該切欠３０の前方側部５４の中心は光学入出力ファイバ１４の光学軸５６に整合し、これによって入出力ファイバ１４のコア６０へ反射して向けられたリターン信号２８の光量を最適化する。切欠３０の前方側部５４は図において平坦な反射面をもって示されているが、該反射面は曲面あるいは段状の面でも構成し得る。切欠３０の前方側部５４の傾斜角度、形状及び位置は、光学入出力ファイバ１４へ反射して向けられるリターン信号の光エネルギを最適状態とするように適宜選択される。
【００２０】
光学伝送ファイバ１２の外側の第２のクラッディング４４の屈折率は、内側の第１のクラッディング４２の屈折率よりも小さい。第２のクラッディング４４は、ポリマー・バッファをなす低屈折率を有する重合体（ポリマー）樹脂よりなる薄いバッファ層で形成し得る。このバッファ層自体は公知である。外側の第２のクラッディング４４はリターン信号２８を内側の第１のクラッディング４２内に光学的に閉じ込める手助けとなる。リターン信号２８は多重モードあるいはクラッディングモードで第１のクラッディング４２を通り、図３の右から左へと送出されるが、レンズ装置１８が小径のコア４０の端部にリターンビーム２４を正確に焦点を集めることは必要とされない。第１のクラッディング４２の周囲内で、二重クラッドファイバで構成された光学伝送ファイバ１２の端部の全面を横切る任意の位置で入射する光は、光学伝送ファイバ１２を通り、切欠３０に向って送られる。その結果、より多くの光エネルギ量が検出器３２に達することができるので、検出器３２からの出力５８の信号対ノイズ比率ないし信頼性を高めることができる。
【００２１】
動作中、送出ビーム２２の反射で構成し得るリターンビーム２４はレンズ装置１８によって光学伝送ファイバ１２の端部２６上に収束する。該ビーム２４はリターン信号２８を形成し、これは第１のクラッディング４２を通って図３において右から経ダリへと送出される。リターン信号２８は第２のクラッディング４４によって第１のクラッディング４２内に実質的に閉じ込められる。リターン信号２８は、空気／ガラスの界面領域（インターフェース）を構成する切欠３０の前方側部５４で反射し、これによって入出力ファイバ１４の大径のコア６０へと向けられる。切欠３０は光学伝送ファイバ１２内に部分的に形成されているのみであるから、リターン信号の多くの部分は切欠３０の下方を通過して切欠３０によって反射されず、従って、入出力ファイバ１４へは向けられない。リターン信号２８の反射されない部分が検出器３２へ達せずに消耗されるとしても、当該光学システム１０は該検出器３２において良好な信号応答性を発揮する。これは入力されるビーム２４の多くの部分が光学伝送ファイバ１２内を伝送可能だからである。信号２８が小径のコア４０のみを通って伝送される場合に比して入力されて伝送されるビーム２４の量が大である。
【００２２】
入出力ファイバ１４のコア６０の直径は光学伝送ファイバ４０の直径よりも大幅に大とし得る。光学伝送ファイバ１２は小径のコア４０における単一モード伝送で特徴付けられるが、他方、入出力ファイバ１４は、大径のコア６０において多重モード伝送を維持する。多重モードのコア６０の直径は、例えば６０ミクロンより大とし得る。図３に示す実施形態において、該コア６０の直径は、約１００ミクロンである。このコア６０はクラッディング６２により囲まれている。コア６０の屈折率はクラッディング６２の屈折率よりも大である。クラッディング６２はリターン信号２８をコア６０内に実質的に閉じ込める。
【００２３】
入出力ファイバ１４の端部６４は、光学伝送ファイバ１２の第２のクラッディング４４の外周面にぴったりと対応する円筒状となっている。両ファイバ１２，１４は、適宜の透明接着剤で連結し得る。入出力ファイバ１４の光学軸５６は、光学伝送ファイバ１２の光学軸に対しておおむね直角とし得る。しかし、上述の通り、本発明は図示の実施形態に限定されるものではない。
【００２４】
入出力ファイバ１４に大径のコア６０を設けることは、切欠３０の前方側部５４から該ファイバ１４へ、より多くの光量を容易に入力させることができる利点がある。もし、該入出力ファイバ１４のコア６０が小径であれば、検出器３２へ達するリターン信号２８の光エネルギが小さくなる。この入出力ファイバ１４の構成の他の利点は更に以下に説明される。
【００２５】
本発明の実施形態において、信号発生装置１６は、例えば、２０００年４月１４日出願の米国特許出願第０９／５４９，４９７に開示されたごとき種々の光学信号を発生させるように構成される。この米国出願の全開示内容が本願において参照される。すなわち、光学システム１６は、以下の作動システムの１つ又は複数のための種々の波長の変調した光エネルギを用いることができる。（１）レーザー領域ファインダ（２）赤外線照準ライト（３）赤外線照明器（フラッシュライト）（４）可視照準ライト（５）可視銃口ライト（照準整合用マンドレル照準規正レーザー）（６）遠隔確認システム、及び（７）レーザータグシュミレーション訓練用集積関係システム。この信号発生装置１６により送出される、例えば約９８０ナノメートル及び１５５０ナノメートルの波長の成分及び可視成分を有する種々の光信号２０を光学伝送ファイバ１２のコア４０内に多重伝送される波長とし得る。
【００２６】
当該光学システム１０は、図示しないライフル銃や双眼鏡などの照準可能な装置上に設けることができる。従って、当該光学システム１０がレーザー領域ファイダ・モードで動作する場合、信号発生装置１６からは変調赤外線信号２０が送出される。変調された信号２０の反射バージョンの信号２４，２８を検出器３２が受けるために要する時間は照準装置としての、例えばライフル銃と目標物との間の距離を表わす。信号発生装置１６と検出器３２は、検出器３２の出力５８を信号発生装置１６の動作に共働させるように作動連結することができる。所望の共働関係を形成するシステム及び適宜のディスプレイ（図示せず）を照準装置としてのライフル銃や双眼鏡上に設けることもできる。
【００２７】
更に、出力ビーム２２のために、第２の動力供給源７２によって光エネルギ７０を追加して供給することができる。この第２の動力供給源７２は、例えば赤外線照明器モードにおいて、その手助けとして用いられる。光エネルギ７０は入出力ファイバ１４の大径コア６０を通して図３において上方に向けて伝達され、切欠３０の前方側部５４によって反射されて光学伝送ファイバ１２の出力端２６へ向って送られる。この大径のコア６０及び第１のクラッディング４２が多量の光エネルギの伝達を担保する。その結果、多重モードのコア６０及び第１のクラッディング４２を通る追加的エネルギ７０の伝達により、小径の単一モードのコアにより全てのエネルギを伝達する構成に比してより多くのエネルギを出力端２６に向って伝達することができる。
【００２８】
動作において、この追加のエネルギ７０は、光学入出力ファイバ１４のクラッディング６２のクラッド層により多重モードのコア６０内に実質的に閉じ込められるとともに、続いて該追加の光エネルギ７０は、低屈折率のバッファ層をなす第２のクラッディング４４によって光学伝送ファイバ１２の第１のクラッディング４２内に実質的に閉じ込められる。又、追加の光エネルギ７０は、入出力ファイバ１４の長手方向に沿って設けた切欠（図示せず）の手段により入出力ファイバ１４の側方に取出すこともできる。この入出力ファイバ１４に設けられる側方取出し用の切欠は、前記ゴールドベルグの米国特許第５，８５４，８６５号に開示されたと同様の構造ならびに動作を果たすもので構成し得る。但し、本発明はこれに限定されるものではない。又、追加的光エネルギ７０を第２の供給源７２から光学伝送ファイバ１２に伝達させるための他の代替構成も採用し得る。例えば、第２の切欠あるいはプリズム（図示せず）を光学伝送ファイバ１２に設けるのである。この第２の切欠又はプリズムを第２の供給源７２に直接連結し、これによって、例えば前記ゴールドベルグの米国特許に開示されたと同様に光学伝送ファイバ１２に向って追加的な赤外線光を側方に取出す構成とし得る。
【００２９】
図４には、本発明の第２の実施形態の光学システム１０’が示されている。この光学システム１０’において、入出力ファイバ１４’の端部６４’はカットされるとともに研磨され、入出力ファイバ１４’の光学軸５６に対して４５度の角度をなす。入出力ファイバ１４’は光学伝送ファイバ１２と平行にこれに近接して配置することができる。この構成において、動作中、リターン信号ないしビームの光２４，２８は、切欠３０の前方側部５４の界面領域から離れる方向に反射され、反射軸５６’に沿って送出される。反射軸５６’は光学伝送ファイバ１２の光学軸に対して直交する構成とし得る。反射軸５６’は研磨された端部６４’の中央部で入出力ファイバ１４’の光学軸５６と交差するように配置されている。従って、リターン信号２４，２８は研磨された端部６４’によって反射されてリターン信号２８のラインに沿って検出器３２に向けられる。追加的な光エネルギ７０の光は、第２の供給源７２から入出力ファイバ１４’を通って図４において示すように右から左へと伝達される。この光エネルギ７０は研磨された端部６４’により反射されるとともに反射軸５６’に沿って上方へ伝達される。次いで、該光エネルギ７０は、前方側部５４によって光学伝送ファイバ１２のクラッディング４２内に反射されて向きが変えられる。入出力ファイバ１４’は光学伝送ファイバ１２に対して適宜の透明接着剤等により固定的に連結できる。この接着剤（図示せず）の屈折率は、両ファイバ１２，１４の外面のところでの反射を減少あるいは除去するために、両ファイバ１２，１４の外側のクラッディング６２，４４の屈折率に合わせることができる。上述した第２の実施形態の光学システム１０’のその他の部分の構成は、図１−３に示す第１の実施形態と実質的に同一である。
【００３０】
以上、本発明の好適な実施形態を説明したが、本発明は、これら実施形態の変形構成をも含み得るものであるから、これらの実施形態に開示の具体的構成に限定されるものではない。
【図面の簡単な説明】
【図１】
本発明の第１の実施形態の光学システムの概要図である。
【図２】
図１に示す光学システムの上面図である。
【図３】
図２の３−３線に沿う断面形で示す図１に示す光学システムの断面図である。
【図４】
図３と同様の断面形で表わした本発明の第２の実施形態の光学システムの断面図である。
【国際公開パンフレット】
2004505293.tif 000003
2004505293.tif 000004
2004505293.tif 000005
2004505293.tif 000006
2004505293.tif 000007
2004505293.tif 000008
2004505293.tif 000009
2004505293.tif 000010
2004505293.tif 000011
2004505293.tif 000012
2004505293.tif 000013
2004505293.tif 000014
2004505293.tif 000015
2004505293.tif 000016
2004505293.tif 000017
2004505293.tif 000018
2004505293.tif 000019
2004505293.tif 000020
2004505293.tif 000021
【国際調査報告】
2004505293.tif 000022